(57)【要約】【課題】複数の画像形成部のうちの１つの感光体ドラムの周囲に配置される現像部の個数を最小限に抑え、クリアトナーや、白色トナー等を適用した特色カラーモードを実現できるようにする。【解決手段】感光体ドラム１の周囲に帯電部２、露光部３及び現像部４を有し、所定色のトナー像を形成する複数の画像形成部１０Yc、１０Ｍ，１０Ｃ，１０Ｋを備え、中間転写ベルト８上で複数色のトナー像を重ね合わせる場合に、中間転写ベルト８の最上流に配置された画像形成部１０Ycは、感光体ドラム１の周囲に２つの現像部４Ｙ，４CLを有し、現像部４ＹはＹ色トナーを有し、現像部４CLはクリアトナーを有するものである。【選択図】  図１
2014115413.tif 000002
【特許請求の範囲】
【請求項１】
感光体ドラムの周囲に帯電部、露光部及び現像部を有し、所定色のトナー像を形成する複数の画像形成部を備え、中間転写体上で複数の所定色のトナー像を重ね合わせる画像形成装置において、
前記複数の画像形成部の中の１つの画像形成部は、２つの現像部を有し、
前記２つの現像部のうちの１つはクリアトナー又は白色トナーを有する現像部である画像形成装置。
【請求項２】
前記１つの画像形成部は、
前記中間転写体の最上流に配置され、
一方の前記現像部は、イエロー（Ｙ）色トナーを有する現像部であり、
他方の前記現像部は、クリアトナーを有する現像部である請求項１に記載の画像形成装置。
【請求項３】
前記中間転写体上で重ね合わされた多重トナー像を用紙に転写したとき、
前記クリアトナーが前記用紙のＹ色を含む多重トナー像の最上層に転写される請求項２に記載の画像形成装置。
【請求項４】
前記１つの画像形成部は、
前記中間転写体の最下流に配置され、
一方の前記現像部は、ブラック（ＢＫ）色トナーを有する現像部であり、
他方の前記現像部は、白色トナーを有する現像部である請求項１に記載の画像形成装置。
【請求項５】
前記中間転写体上で重ね合わされた前記ＢＫ色を含む多重トナー像を用紙に転写したとき、
前記白色トナーが前記用紙のＢＫ色を含む多重トナー像の最下層に転写される請求項４に記載の画像形成装置。
【発明の詳細な説明】
【技術分野】
【０００１】
本発明は、４色の基本のトナーに加えて無色透明のトナーや、白色のトナー等の特色トナーを用いて特色カラーモードを実行する機能を備えたカラー用のプリンタ、複写機、複合機等に適用して好適な画像形成装置に関するものである。
【背景技術】
【０００２】
昨今のプロダクトプリンティングシステムにおいて、画像品質の向上を目的として、特別な色のトナーや、無色透明のクリアトナー、白色トナー（以下で特色トナーという）等を用いてカラー画像を形成する装置が開発され製造されている。
【０００３】
特色トナーを有する画像形成装置によれば、イエロー（Ｙ）色、マゼンタ（Ｍ）色、シアン（Ｃ）色及び、ブラック（ＢＫ）色等の基本の４色のトナーに加えて、再現しづらい色を専用のトナーとして予め用意し、４色のトナーを用いる４つの画像形成部に、特色トナー用の画像形成部を１つ増やす構成が採られている。例えば、特色トナーとして低光沢のＢＫ色のトナーを有する多色画像形成装置が開示されている（特許文献１）。
【０００４】
特許文献１に見られる多重画像形成装置によれば、転写ベルトの上方に２個の感光体ドラムが配置され、一方の感光体ドラムの周囲には、Ｙ，Ｍ，Ｃ色のトナーを用いる３つの現像部が配置され、他方の感光体ドラムの周囲には、ＢＫ色及び低光沢のＢＫ色のトナーを用いる２つの現像部が配置されている。
【０００５】
また、クリアトナーは、通常得られるモノクロ画像や、カラー画像等に対して部分的又は全体的に光沢を与えることにより、出力画像に高級感を与えるものである。クリアトナーを有する画像形成装置によれば、クリアトナーを有する画像形成部を１つ増やす構成で対処している。
【０００６】
白色トナーは、例えば、色付きの用紙上に均一に白色像を形成することにより、用紙の斤量・材料に依存しない白色下地が得られるものである。色付きの用紙に黒文字画を形成した場合と、色付きの用紙に白色像を形成した後に黒文字画を形成した場合とを比べると、白色下地処理した方がより文字画が読み易くかつ見栄えが良くなる。これらの特色トナーを用いて画像を形成する動作を特色カラーモードという。これらの特色トナーを用いずに基本の４色のトナーを用いて画像を形成する動作を通常カラーモードという。
【０００７】
このうちのクリアトナーや、白色トナーの用途は、Ｙ，Ｍ，Ｃ，ＢＫ色のトナーと重ね合わせたときの位置ずれの影響が少ないため、感光体ドラム間のトナー像の重ね合わせ制御（レジストレーション）に対する負担が少なくて済む。因みにＹ，Ｍ，Ｃ，ＢＫ色等のトナー像の重ね合わせの位置ずれ（カラーレジスト）の規格は、数十μｍ単位であるのに対して、クリアトナーや、白色トナーのカラーレジストの規格は数ｍｍ単位である。
【先行技術文献】
【特許文献】
【０００８】
【特許文献１】特開平４−２８４４６８号公報
【発明の概要】
【発明が解決しようとする課題】
【０００９】
ところで、従来例に係る画像形成装置によれば、次のような問題がある。  
ｉ．特許文献１に見られるような多色画像形成装置にクリアトナーや、白色トナー等を適用して機能向上を図ろうとした場合に、ＢＫ色用の感光体ドラムや、４色用の感光体ドラム等において、１つの感光体ドラムに３つ以上の現像部を備えることとなり、益々、ドラム回転制御や、レジストレーションが複雑化するという問題がある。
【００１０】
ii．また、クリアトナーや、白色トナー等を適用して特色カラーモードを実現する画像形成装置として電子写真方式の６連の縦型タンデム機が開発されている。この縦型タンデム機によれば、中間転写ベルトの一方の側に縦に６個の画像形成部が配置され、その画像形成部は最上流から最下流へ順にクリア、４色及び白色トナーを有する画像形成部を配置する構成が採られている。
【００１１】
例えば、用紙上の多重カラートナー像の全体にクリアトナーを形成して一律に光沢を施す光沢モードを実行する場合、最上流の画像形成部で用紙の大きさに対応する露光領域にクリアトナー像を形成して中間転写ベルトに転写する。
【００１２】
次に、クリアトナー像が次の画像形成部に到達する前に、中間の４つの画像形成部でＹ，Ｍ，Ｃ，ＢＫ色による多重カラートナー像を形成して上述の中間転写ベルト上のクリアトナー像に順次重ね合わせるように転写する。転写後、ベルト面からクリアトナー、多重カラートナーの順に重ね合わされたカラートナー像を用紙に転写する。これにより、用紙上の最上層にクリアトナー像が位置し、下層に多重カラートナー像が位置するようになり、光沢モードが実行できるようになる。しかし、６連の縦型タンデム機によれば、高さ方向の寸法が増加して装置自体が大型化するという問題がある。
【００１３】
そこで、この発明は上述した課題を解決したものであって、複数の画像形成部のうちの１つの感光体ドラムの周囲に配置される現像部の個数を最小限に抑え、クリアトナーや、白色トナー等を適用した特色カラーモードを実現できるようにした画像形成装置を提供することを目的とする。
【課題を解決するための手段】
【００１４】
上記課題を解決するために、請求項１に記載の画像形成装置は、感光体ドラムの周囲に帯電部、露光部及び現像部を有し、所定色のトナー像を形成する複数の画像形成部を備え、中間転写体上で複数の所定色のトナー像を重ね合わせる画像形成装置において、前記複数の画像形成部の中の１つの画像形成部は、２つの現像部を有し、前記２つの現像部のうちの１つはクリアトナー又は白色トナーを有する現像部であるものである。
【００１５】
請求項１に係る画像形成装置によれば、複数の画像形成部のうちの１つの感光体ドラムの周囲に配置される現像部の個数を最小限に抑え、クリアトナーや、白色トナー等を適用した特色カラーモードを実現できるようになる。
【００１６】
請求項２に記載の画像形成装置は、請求項１において、前記１つの画像形成部は、前記中間転写体の最上流に配置され、一方の前記現像部は、イエロー（Ｙ）色トナーを有する現像部であり、他方の前記現像部は、クリアトナーを有する現像部であるものである。
【００１７】
請求項３に記載の画像形成装置は請求項２において、前記中間転写体上で重ね合わされた多重トナー像を用紙に転写したとき、前記クリアトナーが前記用紙のＹ色を含む多重トナー像の最上層に転写されるものである。
【００１８】
請求項４に記載の画像形成装置は請求項１において、前記１つの画像形成部は、前記中間転写体の最下流に配置され、一方の前記現像部は、ブラック（ＢＫ）色トナーを有する現像部であり、他方の前記現像部は、白色トナーを有する現像部であるものである。
【００１９】
請求項５に記載の画像形成装置は請求項４において、前記中間転写体上で重ね合わされた前記ＢＫ色を含む多重トナー像を用紙に転写したとき、前記白色トナーが前記用紙のＢＫ色を含む多重トナー像の最下層に転写されるものである。
【発明の効果】
【００２０】
請求項１に係る画像形成装置によれば、１つの画像形成部が感光体ドラムの周囲に２つの現像部を有し、２つの現像部のうちの１つはクリアトナー又は白色トナーを有する現像部であるものである。
【００２１】
この構成によって、複数の画像形成部のうちの１つの感光体ドラムの周囲に配置される現像部の個数を最小限に抑え、クリアトナーや、白色トナー等を適用した特色カラーモードを実現できるようになる。
【００２２】
請求項２及び３に係る画像形成装置によれば、中間転写体の最上流に配置された画像形成部にＹ色用の現像部に加えて、クリアトナーを有する現像部を多重に配置することで、通常得られるＹ色を含むカラー画像上に部分的な光沢を与えることができ、出力画像に高級感を与えることができる（光沢処理）。
【００２３】
請求項４及び５に係る画像形成装置によれば、中間転写体の最下流に配置された画像形成部にＢＫ色用の現像部に加えて、白色トナーを有する現像部を多重に配置することで、用紙の上に均一に白色トナーを転写することができ、その斤量や材料等に依存しない白色を再現できるようになる（白色処理）。
【００２４】
これらにより、６連の画像形成部を備えて光沢及び白色処理を行うタンデム機を構築する場合に比べて、２個の感光体ドラム及びその周囲の帯電部や露光部等を削減できるようになる。しかも、画像形成装置の高さ方向の寸法を低減できるばかりか、装置のコンパクト化が図られ、その価格の低廉化に寄与するところが大きい。
【図面の簡単な説明】
【００２５】
【図１】本発明に係る第１の実施例としての画像形成装置１００の構成例を示す断面図である。
【図２】第１の実施例に係る光沢多重色の形成例（その１）を示す工程図である。
【図３】光沢多重色の形成例（その２）を示す工程図である。
【図４】第２の実施例としての画像形成装置２００の構成例を示す断面図である。
【図５】第２の実施例に係る多重色＋白色像（部分）の形成例（その１）を示す工程図である。
【図６】多重色＋白色像（部分）の形成例（その２）を示す工程図である。
【図７】多重色＋白色像（全面）の形成例を示す工程図である。
【図８】第３の実施例に係る画像形成装置３００の制御系の構成例を示すブロック図である。
【図９】画像形成装置３００の制御例を示すフローチャートである。
【発明を実施するための形態】
【００２６】
以下、図面を参照しながら、この発明の実施形態としての画像形成装置について説明をする。本欄の記載は、特許請求の範囲に記載される技術的範囲や、用語の意味等を限定するものではない。
【実施例１】
【００２７】
図１に示す第１の実施例に係る画像形成装置１００は、中間転写ベルト８（中間転写体）を有しており、中間転写ベルト８上で、イエロー（Ｙ）色、マゼンタ（Ｍ）色、シアン（Ｃ）色及び、ブラック（ＢＫ）色等の複数の作像色のトナー像を重ね合わせるように動作する。中間転写ベルト８は無終端状を有して縦型に設置され、図示しない転写制御信号に基づいて白抜き矢印に示すように時計方向回りに回転する。
【００２８】
画像形成装置１００は、Ｙ，Ｍ，Ｃ，ＢＫ色の像形成出力機能を各々分担する４つの画像形成部１０Yc，１０Ｍ，１０Ｃ，１０Ｋを備えている。この例では、それぞれ共通する機能名称、例えば、符号１０の後ろに形成する色を示すYc，Ｍ，Ｃ，Ｋを付して表記する。Ycは、Ｙ色と当該Ｙ色トナー像の上部にクリアトナーが積層された光沢Ｙ色とを示している。
【００２９】
画像形成部１０は感光体ドラム１、帯電部２、露光部３及び現像部４を有しており、感光体ドラム１の周囲には帯電部２、露光部３及び現像部４の順に配置され、所定色のトナー像を形成する。画像形成部１０Ycは多重転写ステーションを構成し、中間転写ベルト８の最上流に配置されている。画像形成部１０Ycでは、感光体ドラム１Ｙの周囲に、２つの現像部４Ｙ，４CLが露光部３Ycを基準にして順に左回りに配置され、２つの現像部４Ｙ，４CLのうちの一方の現像部４ＹはＹ色トナーを有しており、他方の現像部４CLは無色透明のクリアトナー（以下でＣＬトナーという）を有している。現像部４Ｙは現像制御信号Ｓygに基づいて静電潜像ＥをＹ色トナーで現像し、現像部４CLは現像制御信号Ｓclに基づいて静電潜像ＥをＣＬトナーで現像する。すなわち、１つの静電潜像ＥがＹ色トナーとＣＬトナーで多重に現像される。
【００３０】
この例では、中間転写ベルト８上で重ね合わされたＹ色を含む多重トナー像を用紙Ｐに転写したとき、クリアトナー像が用紙ＰのＹ色を含む多重トナー像の最上層に転写される。従って、クリアトナー像は、常に、一番最初に中間転写ベルト８に転写するようになされる。
【００３１】
画像形成部１０Ycでは、帯電部２によって一様に帯電された感光体ドラム１Ｙに、ＹＭＣＫ系の画像データＤｙ又は無色透明像用の画像データＤClのいずれか一方に基づいてポリゴンミラーや、ＬＰＨ（ＬＤ  Print  Head）等を使用した露光部３Ycにより静電潜像Ｅが形成される。露光部３Ycは、感光体ドラム１ＹにＹＭＣＫ系の画像データＤｙ又は画像データＤClのいずれか一方に基づく光情報を書き込むようになる。
【００３２】
上述の静電潜像Ｅは、Ｙ色トナー含む多重トナー像のみに光沢を施す部分光沢モードを実行する場合は、Ｙ色トナー像に対応する現像部４Ｙ及び無色透明像に対応する現像部４CLによって多重現像される。多重現像では画像データＤClが画像データＤｙを共用されることから、画像データＤｙに基づく光情報のみの書き込みが行われる。
【００３３】
この例では、Ｙ色像用の画像データＤｙを感光体ドラム１Ｙに書き込んで形成された静電潜像ＥをＣＬトナーとＹ色トナーとで多重に現像できるようにした。これにより、無色透明像用の画像データＤclを感光体ドラム１Ｙに書き込むための画像書込み位置等の合わせ込みを省略できるようになる。
【００３４】
なお、Ｙ色トナー像の形成の要求が無い場合は、画像形成部１０Ycをクリアトナー像の形成に専用できるので、Ｙ色トナー像を除く多重トナー像の全面に光沢を施す全面光沢モードを実行できるようになる。その際には、帯電部２Ｙによる感光体ドラム１Ｙの帯電処理、画像データＤClによる感光体ドラム１Ｙへの光情報の書き込み、無色透明像に対応する現像部４CLによる現像及び、中間転写ベルト８への無色透明像の１次転写が行われ、現像部４CLが選択されて現像がなされる。
【００３５】
感光体ドラム１Ｙは、ドラム制御信号Ｓｙに基づいて白抜き矢印に示すように反時計方向回りに回転する。感光体ドラム１Ｙの下方には、感光体ドラム１Ｍが配置され、ドラム制御信号Ｓｍに基づいて反時計方向回りに回転する。感光体ドラム１Ｍの下方には、感光体ドラム１Ｃが配置され、ドラム制御信号Ｓｃに基づいて反時計方向回りに回転する。感光体ドラム１ｃの下方（最下流）には、感光体ドラム１Ｋが配置され、ドラム制御信号Ｓｋに基づいて反時計方向回りに回転する。
【００３６】
感光体ドラム１Ｙ〜１Ｋにおいて、各感光体ドラム１Ｙ，１Ｍ、感光体ドラム１Ｍ，１Ｃ、感光体ドラム１Ｃ，１Ｋ間の各々の距離はＬ［ｍ］に設定されている。距離Ｌは露光部３による感光体ドラム１への画像書込み開始位置ｐ１から１次転写位置ｐ２に至るドラム円弧周囲の長さＬ’と等しい長さに設定されている。１次転写位置ｐ２は中間転写ベルト８と感光体ドラム１との当接（接点）位置である。
【００３７】
他の画像形成部１０では、各作像色毎に対応する帯電部２によって一様に帯電された感光体ドラム１に、ＹＭＣＫ系の画像データＤｍ，Ｄｃ，Ｄｋに基づいて露光部３により静電潜像Ｅが形成される。露光部３は、感光体ドラム１に画像データＤｍ，Ｄｃ，Ｄｋに基づく光情報を光走査部材を介して書き込む。このような帯電、露光、現像を行い、感光体ドラム１上に形成されたカラートナー像は、Ｙ，Ｍ，Ｃ，ＢＫ色用の感光体ドラム１に対応して１次転写ローラー７を動作させ、中間転写ベルト８に転写される（１次転写）。
【００３８】
中間転写ベルト８の下方には２次転写部３１が設けられ、中間転写ベルト８に１次転写されたカラートナー像を所定の用紙Ｐに転写する（２次転写）。所定の用紙Ｐ上に転写されたトナー像は、定着部４０により定着される。定着部４０は画像形成部１０Ｋの下流側に設けられ、２次転写部３１によって用紙Ｐに転写されたカラートナー像に熱を加えて熱定着する。これらにより、画像データＤｙ，Ｄcl，Ｄｍ，Ｄｃ，ＤＫに基づくカラー画像を所定の用紙Ｐに形成することができる。
【００３９】
なお、上述の感光体ドラム１の各々の左側下方には、Ｙ，Ｍ，Ｃ，ＢＫ色用の感光体ドラム１に対応してクリーニング部６Ｙ，６Ｍ，６Ｃ，６Ｋが設けられ、前回の書込みで感光体ドラム１に残留したトナーを除去（クリーニング）するように動作する。中間転写ベルト８の左側上方にはクリーニング部６Ａが設けられ、２次転写後の中間転写ベルト８上に残存するトナーをクリーニングするように動作する。
【００４０】
続いて、図２及び図３を参照して、第１の実施例に係る光沢多重色の形成例（その１，２）について説明する。この例では、Ｙ色トナー含む多重トナー像のみに光沢を施す部分光沢モードを実行する場合であって、光沢が施された緑（Ｇ）色の「Ａ」の文字画を用紙Ｐに形成する場合を例に挙げる。
【００４１】
これらを画像形成条件にして、図２の（Ａ）において、まず、感光体ドラム１Ｙに「Ａ」の文字の形状を成した静電潜像Ｅを形成する。このとき、図１に示した露光部３Ycには、帯電部２Ｙによって一様に帯電された感光体ドラム１Ｙに「Ａ」の文字画を形成するための画像データＤｙが入力される。露光部３Ycは、Ａ文字に係る画像データＤｙに基づく光情報を光走査部材を介して感光体ドラム１Ｙに書き込むようになる。これにより、「Ａ」の文字の形状を成した静電潜像Ｅを感光体ドラム１Ｙに形成できるようになる。
【００４２】
次に、図２の（Ｂ）において、感光体ドラム１Ｙに形成されたＡ文字の静電潜像ＥをＹ色トナーで現像する。このとき、図１に示した現像部４Ｙは現像制御信号Ｓygに基づいて感光体ドラム１Ｙ上の静電潜像ＥをＹ色トナーで現像する。現像後の静電潜像Ｅを以下でＹ色トナー像という。
【００４３】
更に、図２の（Ｃ）において、感光体ドラム１Ｙ上のＹ色トナーで現像されたＡ文字の静電潜像Ｅを、更に、ＣＬトナーで多重現像する。このとき、感光体ドラム１Ｙが反時計方向へ移動している状態でＹ色トナーで現像された静電潜像Ｅが、更に、現像制御信号Ｓclに基づいて現像部４CLのＣＬトナーで現像するようになされる。
【００４４】
その後、図２の（Ｄ）において、感光体ドラム１Ｙ上でＹ色トナー及びＣＬトナーで多重現像されたＡ文字の静電潜像Ｅ（以下、光沢Ｙ色トナー像という）を中間転写ベルト８に１次転写する。その際に、ドラム面に対してベルト面では、Ａ文字及びその積層順が反転して、ベルト面に近い方から順に、ＣＬトナーによるクリアトナー像及びＹ色トナー像が転写される。
【００４５】
そして、図２の（Ｅ）において、中間転写ベルト８に１次転写された光沢Ｙ色トナー像を感光体ドラム１Ｃの転写位置に移動する。この転写位置は、感光体ドラム１Ｙの転写位置から距離２Ｌだけ中間転写ベルト８が移動した位置である。他方で、図３の（Ａ）において、感光体ドラム１ＣにＡ文字形状の静電潜像Ｅを形成する（図２の（Ａ）参照）。
【００４６】
次に、図３の（Ｂ）において、感光体ドラム１Ｃに形成されたＡ文字の静電潜像ＥをＣ色トナーで現像する。このとき、現像部４Ｃは現像制御信号Ｓcgに基づいて感光体ドラム１Ｃ上の静電潜像ＥをＣ色トナーで現像する。現像後の静電潜像Ｅを以下でＣ色トナー像という。
【００４７】
更に、図３の（Ｃ）において、感光体ドラム１Ｃに形成されたＣ色トナー像を中間転写ベルト８上のＹ色トナー像上に１次転写する。その際に、ベルト面に近い方から順に既に転写されているクリアトナー像及びＹ色トナー像上に、Ｃ色トナー像が転写される。この１次転写によって、Ａ文字の光沢Ｙ色トナー像の上層に数μｍ単位でＣ色トナー像が重ね合わされる。
【００４８】
その後、図３の（Ｄ）において、中間転写ベルト８に１次転写された光沢Ｙ色＋Ｃ色トナー像を２次転写部３１に移動する。このとき、中間転写ベルト８は図１に示したように白抜き矢印に示す方向に一定の線速で回転している。そして、図３の（Ｅ）において、中間転写ベルト８上の光沢Ｙ色＋Ｃ色トナー像が２次転写部３１によって、用紙Ｐに２次転写される。
【００４９】
その際に用紙Ｐ上の最下層にはＣ色トナー像が位置し、その中間にはＹ色トナー像が位置し、その最上層は、クリアトナー像が位置するようになる。これにより、Ｙ色及びＣ色の減色混合によってグリーン（緑：Ｇ）色で、しかも、ＣＬトナーによって光沢が施された光沢Ｇ色のＡ文字を成すトナー像を用紙Ｐに転写できるようになる。用紙Ｐ上のトナー像は定着部４０によって定着される。この定着によって、用紙Ｐに光沢Ｇ色の「Ａ」の文字画を形成できるようになる。
【００５０】
このように第１の実施例に係る画像形成装置１００によれば、中間転写ベルト８の最上流に配置された画像形成部１０Ycが感光体ドラム１Ｙの周囲に２つの現像部４Ｙ，４CLを有し、現像部４CLはクリアトナーを有するものである。
【００５１】
この構成によって、画像形成部１０Ycにおいて、１つの「Ａ」に係る静電潜像ＥをＹ色トナーとＣＬトナーとで多重に現像できるので、クリアトナー像と、他の作像色のトナー像との色重ね合わせ位置調整（レジストレーション）を省略できるようになる。しかも、画像形成装置１００によれば、Ｙ色用の現像部４Ｙに加えて、クリアトナーを有する現像部４CLを多重に配置したので、通常得られるＹ色を含むカラー画像上に部分的な光沢を与えることができ、出力画像に高級感を与えることができる（光沢処理）。
【００５２】
これらにより、ＣＬトナー用や、Ｙ，Ｍ，Ｃ，ＢＫ色用の５個の画像形成部１０を備えて光沢処理を行うタンデム機を構築する場合に比べて、１個の感光体ドラム１及びその周囲の帯電部２や露光部３等を削減できるようになる。しかも、画像形成装置１００の高さ方向の寸法を低減できるばかりか、装置のコンパクト化が図られ、その価格の低廉化に寄与するところが大きい。
【実施例２】
【００５３】
続いて、図４を参照して、第２の実施例に係る画像形成装置２００の構成例について説明する。第２の実施例では、第１の実施例の画像形成部１０YcからＣＬトナー用の現像部４CLが除かれ、画像形成部１０Kwに白色トナー用の現像部４Ｗが付加されるものである。第１の実施例と同じ符号及び同じ名称のものは同じ機能を有するのでその説明を省略する。
【００５４】
図４において、画像形成装置２００は画像形成部１０Ｙ，１０Ｍ，１０Ｃ，１０Kwを備えている。画像形成部１０Kwは多重転写ステーションを構成し、中間転写ベルト８の最下流に配置されている。画像形成部１０Kwでは、感光体ドラム１Ｋの周囲に２つの現像部４Ｗ，４Ｋが露光部３Kwを基準にして順に配置され、一方の現像部４Ｗには、白色トナーを有しており、他方の現像部４Ｋは、ブラック（ＢＫ）色トナーを有している。現像部４Ｗは現像制御信号Ｓwgに基づいて白色像用の静電潜像Ｅを白色トナーで現像し、現像部４Ｋは現像制御信号Ｓkgに基づいて文字画用の静電潜像ＥをＢＫ色トナーで現像する。
【００５５】
この例では、中間転写ベルト８上で重ね合わされたＢＫ色を含む多重トナー像を用紙Ｐに転写したとき、白色トナーが用紙ＰのＢＫ色を含む多重トナー像の最下層に転写される。従って、白色トナーは、常に、一番最後に中間転写ベルト８に転写するようになされる。
【００５６】
画像形成部１０Kwでは、帯電部２Ｋによって一様に帯電された感光体ドラム１Ｋに、ＹＭＣＫ系の画像データＤｋ又は白色像用の画像データＤｗのいずれか一方に基づいて露光部３Kwにより黒色画又は白色像の静電潜像Ｅが形成される。
【００５７】
上述の画像形成部１０Kwでは、ＢＫ色の書き込みが行われない場合は、Ｙ，Ｍ，Ｃ色トナー含む多重トナー像の周囲のみに白色下地を施す部分白色下地モードや、多重トナー像下の全面に白色下地を施す全面白色下地モードを実行できるようになっている。部分白色下地モードを実行する場合は、白色像に対応する現像部４Ｗによって静電潜像Ｅが現像される。
【００５８】
画像形成部１０Kwでは画像データＤｗと画像データＤｋとを共用できないことから、画像データＤｗ又は画像データＤｋに基づく光情報の択一的な書き込みが行われる。画像データＤｋで感光体ドラム１Ｋに形成した静電潜像Ｅを現像部４Ｗで多重現像すると、例えば、黒文字部分の下地のみが白色となる。
【００５９】
また、全面白色下地モードを実行する場合は、中間転写ベルト８上で黒色画をＹ，Ｍ，Ｃ色の減色混合で形成した後、帯電部２Ｋによる感光体ドラム１Ｙの帯電処理、用紙Ｐの全面に白色下地を施すための画像データＤｗによる感光体ドラム１Ｋへの光情報の書き込み、白色トナー像に対応する現像部４Ｗによる現像及び中間転写ベルト８への白色トナー像の１次転写が行われる。これらにより、画像形成装置２００を構成する。
【００６０】
続いて、図５及び図６を参照して、第２の実施例に係る多重色＋白色像（部分）の形成例（その１，２）について説明する。この例ではＹ，Ｍ色トナー含む多重トナー像の周囲に白色トナー像を施す白色部分下地モードを実行する場合であって、色付きの例えば黄色の用紙Ｐに赤色の丸形状と白色の矩形状の下地からなる国旗画を形成する例を挙げる。
【００６１】
図５の（Ａ）において、まず、感光体ドラム１Ｙに国旗の丸部分の形状を成した静電潜像Ｅを形成する。このとき、帯電部２Ｙによって一様に帯電された感光体ドラム１Ｙに、国旗の丸部分を形成するための画像データＤｙが露光部３Ｙに入力される。露光部３Ｙは、国旗の丸部分に係る画像データＤｙに基づく光情報を感光体ドラム１Ｙに書き込むようになる。これにより、国旗の丸部分の形状を成した静電潜像Ｅを感光体ドラム１Ｙに形成できるようになる。
【００６２】
次に、図５の（Ｂ）において、感光体ドラム１Ｙに形成された国旗の丸部分の静電潜像ＥをＹ色トナーで現像する。このとき、現像部４Ｙは現像制御信号Ｓygに基づいて感光体ドラム１Ｙ上の静電潜像ＥをＹ色トナーで現像する。更に、図５の（Ｃ）において、感光体ドラム１Ｙ上の国旗の丸部分のＹ色トナー像を中間転写ベルト８に１次転写する。そして、図５の（Ｄ）において、中間転写ベルト８に１次転写されたＹ色トナー像を感光体ドラム１Ｍの転写位置に移動する。この転写位置は感光体ドラム１Ｙの転写位置から距離Ｌだけ中間転写ベルト８が移動した位置である。
【００６３】
他方で、図５の（Ｅ）において、感光体ドラム１Ｍで形成され、Ｍ色トナーで現像（途中工程を省略する。）されたＭ色トナー像を中間転写ベルト８上のＹ色トナー像上に１次転写する。その際に、ベルト面に近い方から順に既に転写されているＹ色トナー像上に、Ｍ色トナー像が転写される。この１次転写によって、国旗の丸部分のＹ色トナー像の上層にＭ色トナー像が重ね合わされる。そして、中間転写ベルト８に１次転写されたＹ色＋Ｍ色トナー像を感光体ドラム１Ｋの転写位置に移動する。この転写位置は感光体ドラム１Ｍの転写位置から距離２Ｌだけ中間転写ベルト８が移動した位置である。
【００６４】
更に他方で、図６の（Ａ）において、感光体ドラム１Ｋに国旗の矩形部分の形状を成した静電潜像Ｅを形成する。このとき、帯電部２Ｋによって一様に帯電された感光体ドラム１Ｋに、国旗の矩形部分を形成するための画像データＤｗが露光部３Ｋに入力される。露光部３Ｋは、国旗の矩形部分に係る白色像用の画像データＤｗに基づく光情報を感光体ドラム１Ｋに書き込むようになる。画像データＤｗは国旗全体の画像データから、その丸部分の画像データＤｙを除いたデータである。これにより、国旗の矩形部分の形状を成した静電潜像Ｅを感光体ドラム１Ｋに形成できるようになる。
【００６５】
次に、図６の（Ｂ）において、感光体ドラム１Ｋに形成された国旗の矩形部分の静電潜像Ｅを白色トナーで現像する。このとき、現像部４Ｗは現像制御信号Ｓwgに基づいて感光体ドラム１Ｋ上の静電潜像Ｅを白色トナーで現像する。
【００６６】
その後、図６の（Ｃ）において、感光体ドラム１Ｋ上の国旗の矩形部分の白色トナー像を中間転写ベルト８に１次転写する。このとき、中間転写ベルト８に既に１次転写されている国旗の丸部分を成すＹ色及びＭ色トナー像と、国旗の矩形部分を成す白色トナー像とが数μｍ単位のレジストの規格で重ね合わされる。
【００６７】
そして、図６の（Ｄ）において、中間転写ベルト８に１次転写された白色＋Ｙ色＋Ｍ色トナー像を２次転写部３１の転写位置に移動する。中間転写ベルト８は図４に示したように白抜き矢印に示す方向に一定の線速で回転している。そして、図６の（Ｅ）において、中間転写ベルト８上の白色＋Ｙ色＋Ｃ色トナー像が２次転写部３１によって、用紙Ｐに２次転写される。その際に用紙Ｐ上の最下層にはＭ色トナー像が位置し、その最上層にはＹ色トナー像が位置するようになる。
【００６８】
これにより、丸部分がＹ色及びＭ色の減色混合によって赤（Ｒ）色で再現され、しかも、矩形部分が白色トナーによって形成されたトナー像を用紙Ｐに転写できるようになる。用紙Ｐ上のトナー像は定着部４０によって定着される。この定着によって、黄色の用紙Ｐに、矩形状の白地に赤丸を施した国旗画を形成できるようになる。
【００６９】
続いて、図７を参照して、第２の実施例に係る多重色＋白色トナー像（全面）の形成例について説明する。この例では、多重トナー像下の色付き用紙Ｐ等の全面に白色下地を施す全面白色下地モードを実行する場合であって、例えば、青色の用紙ＰにＢＫ色を含む多重カラー画像を形成する場合を例に挙げる。なお、文字等の黒画像はＹ，Ｍ，Ｃ色の減色混合で形成するとよい。多重カラートナー像は既に画像形成部１０Ｙ，１０Ｃ，１０Ｃで形成され、中間転写ベルト８上で重ね合わされている場合を想定する。
【００７０】
これらを画像形成条件にして、図７の（Ａ）において、用紙Ｐで白色下地が要求される部分（以下で白色下地部分という）の形状を成した静電潜像Ｅを感光体ドラム１Ｋに形成する。このとき、感光体ドラム１Ｋは反時計方向回りに回転され、露光部３Kwには、帯電部２Ｋによって一様に帯電された感光体ドラム１Ｋに、白色下地部分を形成するための画像データＤｗが入力される。露光部３Kwは、画像データＤｗに基づく光情報を光走査部材を介して感光体ドラム１Ｋに書き込むようになる。これにより、白色下地部分の形状を成した静電潜像Ｅを感光体ドラム１Ｋに形成できるようになる。
【００７１】
次に、図７の（Ｂ）において、感光体ドラム１Ｋに形成された白色下地部分の静電潜像Ｅを白色トナーで現像する。このとき、現像部４Ｗは現像制御信号Ｓwgに基づいて感光体ドラム１Ｋ上の静電潜像Ｅを白色トナーで現像する。その後、図７の（Ｃ）において、感光体ドラム１Ｋ上の白色下地部分の白色トナー像を中間転写ベルト８に１次転写する。このとき、既に、中間転写ベルト８に１次転写されているＹ色、Ｍ色及びＣ色等の多重色トナー像に、白色下地部分の白色トナー像が数ｍｍ単位のレジストの規格で重ね合わされる。
【００７２】
そして、図７の（Ｄ）において、中間転写ベルト８に１次転写された多重色＋白色トナー像を２次転写部３１の転写位置に移動する。このとき、中間転写ベルト８は図４に示したように白抜き矢印に示す方向に一定の線速で回転している。そして、図７の（Ｅ）において、中間転写ベルト８上の多重色＋白色トナー像が２次転写部３１によって、用紙Ｐに２次転写される。その際に用紙Ｐ上の最下層には白色トナー像が位置し、その上層にはＹ色、Ｍ色及びＣ色等の多重色トナー像が位置するようになる。
【００７３】
これにより、Ｙ色、Ｍ色及びＣ色等の減色混合によってカラートナー像が形成され、しかも、カラー画像の下地部分が白色トナーによって形成されたカラートナー像を青色の用紙Ｐに転写できるようになる。用紙Ｐ上のトナー像は定着部４０によって定着される。
【００７４】
このように第２の実施例に係る画像形成装置２００によれば、画像形成部１０Kwが感光体ドラム１Ｋの周囲に２つの現像部４Ｋ，４Ｗを有し、現像部４Ｗは白色トナーを有するものである。
【００７５】
この構成によって、数μｍ単位のレジストの規格による白色部分下地モードや、数ｍｍ単位のレジストの規格による全面白色下地モード等を実行できるようになる。全面白色下地モードでは、画像形成部１０Kwにおける白色トナーによる画像と、他の作像色トナー像との色重ね合わせ位置調整を簡略化できるようになる。しかも、画像形成装置２００によれば、中間転写ベルト８の最下流に配置された画像形成部１０KwにＢＫ色用の現像部４Ｋに加えて、白色トナーを供給する現像部４Ｗを多重に配置したことで、用紙Ｐの上に均一に白色トナーを転写することができ、その斤量や材料等に依存しない白色を再現できるようになる（白色処理）。
【００７６】
これらにより、Ｙ，Ｍ，Ｃ，ＢＫ色や、白色用の５個の画像形成部１０を備えて白色処理を行うタンデム機を構築する場合に比べて、１個の感光体ドラム１及びその周囲の帯電部２や露光部３等を削減できるようになる。しかも、画像形成装置２００の高さ方向の寸法を低減できるばかりか、装置のコンパクト化が図られ、その価格の低廉化に寄与するところが大きい。
【実施例３】
【００７７】
続いて、図８を参照して、第３の実施例に係る画像形成装置３００の制御系の構成例について説明する。この例の画像形成装置３００には、画像形成部１０Ｍ，１０Ｃの他に第１の実施例で説明した画像形成部１０Yc及び、第２の実施例で説明した画像形成部１０Kwの両方が備えられるものである。
【００７８】
図８に示す画像形成装置３００の制御系によれば、制御部５０を備え、制御部５０には画像形成部１０Yc，１０Ｍ，１０Ｃ，１０Kw、転写部３０、定着部４０及び操作表示部４８が接続されている。操作表示部４８は、画像形成条件や画像形成モード等の設定を受け付けるように操作される。画像形成条件とは用紙に画像を形成する際の用紙の種類や、紙サイズ、画像濃度、給紙トレイ、出力枚数等をいう。画像形成モードとは画像形成装置３００に対して画像形成条件を設定して画像形成動作させる方法（指令）をいう。画像形成モードには通常カラーモードと特色カラーモードとが準備されている。
【００７９】
通常カラーモードとはＹ，Ｍ，Ｃ，ＢＫ色のカラートナーを使用して多色画像を形成する動作をいう。特色カラーモードとは、Ｙ，Ｍ，Ｃ，ＢＫ色のカラートナーの他に白色トナーや、ＣＬトナーを使用して多色画像を形成する動作をいう。特色カラーモードにはクリア多重モードと白色多重モードが準備されている。
【００８０】
画像形成部１０Ycは、Ｙ色像用の画像データＤｙ又は無色透明像用の画像データＤclと、画像形成信号Ｓ１に基づいて感光体ドラム１ＹにＹ色トナー像及びクリアトナー像の少なくともいずれか一方を形成する。画像形成信号Ｓ１及び画像データＤｙ，Ｄclは制御部５０から画像形成部１０Ycへ出力される。画像形成信号Ｓ１には図１及び図４に示したドラム制御信号Ｓｙ、現像制御信号Ｓcl及び現像制御信号Ｓygの他に帯電部２やクリーニング部６を制御する信号が含まれているが、その詳細についてはその説明を省略する。
【００８１】
画像形成部１０ＭはＭ色像用の画像データＤｍ及び画像形成信号Ｓ２に基づいて感光体ドラム１ＭにＭ色トナー像を形成する。画像形成信号Ｓ２及び画像データＤｍは制御部５０から画像形成部１０Ｍへ出力される。画像形成信号Ｓ２には図１に示したドラム制御信号Ｓｍ、現像制御信号Ｓmgの他にクリーニング部６や、帯電部２を制御する信号が含まれている。
【００８２】
画像形成部１０ＣはＣ色像用の画像データＤｃ及び画像形成信号Ｓ３に基づいて感光体ドラム１ＣにＣ色トナー像を形成する。画像形成信号Ｓ３及び画像データＤｃは制御部５０から画像形成部１０Ｃへ出力される。画像形成信号Ｓ３には図１に示したドラム制御信号Ｓｃ、現像制御信号Ｓcgの他にクリーニング部６や、帯電部２を制御する信号が含まれている。
【００８３】
画像形成部１０KwはＢＫ色像用の画像データＤｋ又は白色像用の画像データＤｗと、画像形成信号Ｓ４とに基づいて感光体ドラム１ＫにＢＫ色トナー像及び白色トナー像の少なくともいずれか一方を形成する。画像形成信号Ｓ４及び画像データＤｋ，Ｄｗは制御部５０から画像形成部１０Kwへ出力される。画像形成信号Ｓ４には図４に示したドラム制御信号Ｓｋ、現像制御信号Ｓkg及び現像制御信号Ｓwgの他にクリーニング部や、帯電部を制御する信号が含まれている。
【００８４】
転写部３０は転写制御信号Ｓ５に基づいて１次転写ローラー７、中間転写ベルト８及び２次転写部３１を制御してトナー像を転写する。転写制御信号Ｓ５は制御部５０から転写部３０へ出力される。転写制御信号Ｓ５には１次転写ローラー７を離間圧接する信号や、中間転写ベルト８を一定の速度で回転させる信号や、２次転写部３１を離間圧接する信号が含まれている。
【００８５】
定着部４０は制御部５０に接続され、定着制御信号Ｓ６に基づいて図示しない定着ローラーを制御して定着処理する。定着制御信号Ｓ６は制御部５０から定着部４０へ出力される。定着制御信号Ｓ６には定着ローラーを一定の速度で回転させる信号や、定着温度を制御する信号が含まれている。これらにより、画像形成装置３００の制御系を構成する。
【００８６】
制御部５０には、図示しない画像処理部等からＲＧＢ系の画像データＤinが入力され、制御部５０では、画像データＤinがＹ色、Ｍ色、Ｃ色及びＢＫ色（ＹＭＣＹ系）の画像データに色変換される。制御部５０は、操作表示部４８から操作データＤ４８を入力し、操作データＤ４８に基づいて、画像形成信号Ｓ１〜Ｓ４、転写制御信号Ｓ５及び定着制御信号Ｓ６を発生し、画像形成部１０Yc，１０Ｍ，１０Ｃ，１０Kw、転写部３０、定着部４０の入出力を制御する。
【００８７】
ここで、図９を参照して、本発明に係る画像形成装置３００の制御例について説明する。この例で画像形成装置３００には、第１の実施例で説明した画像形成部１０Yc及び第２の実施例で説明した画像形成部１０Kwの両方と、画像形成部１０Ｍ，１０Ｃとが備えられ、制御部５０が通常カラーモード又は特色カラーモードのいずれか一方の画像形成モードに基づいてカラー画像を形成する場合を例に挙げる。Ｙ色用の画像形成部１０YcにＹ色トナー用の現像部４Ｙと、ＣＬトナー用の現像部４CLとが設けられ、ＢＫ色用の画像形成部１０KwにはＢＫ色トナー用の現像部４Ｋと、白色トナー用の現像部４Ｗとが設けられる。
【００８８】
これらを制御条件にして、図９に示すステップＳＴ１で制御部５０は画像形成モードの設定を受け付ける。ユーザーは通常カラーモード又は特色カラーモードのいずれか一方の画像形成モードを操作表示部４８を操作して選択するようになされる。もちろん、画像形成条件も設定される。画像形成モードや画像形成条件は操作データＤ４８となって操作表示部４８から制御部５０に設定される。
【００８９】
ステップＳＴ２で制御部５０は通常／特色カラーモードの設定に応じて制御を分岐する。特色カラーモードが設定されている場合は、ステップＳＴ３で制御部５０はクリア／白色多重モードの設定に応じて制御を分岐する。クリア多重モードが設定されている場合は、ステップＳＴ４で制御部５０は、Ｙ色像の形成要求の有無に基づいて制御を分岐する。
【００９０】
Ｙ色像の形成要求が有る場合はステップＳＴ５で制御部５０がＹ色トナー像の形成を実行する。このとき、画像形成部１０Ycは制御部５０から入力したＹ色像用の画像データＤｙ及び、画像形成信号Ｓ１に基づいて感光体ドラム１ＹにＹ色像用の静電潜像Ｅを形成する。ステップＳＴ６で制御部５０はＹ色像用の静電潜像Ｅに対してＹ色トナー及びＣＬトナーによる多重現像を実行する（部分光沢モード）。その後、ステップＳＴ１４で制御部５０は２次転写及び定着処理を実行する。
【００９１】
上述のステップＳＴ４でＹ色像の形成要求が無い場合は、ステップＳＴ７でクリアトナー像の形成を実行する。例えば、全面にＣＬトナーを形成して光沢を掛ける全面光沢モードである。全面光沢モードでは、他のＭ色や、Ｃ色画等の上層にＣＬトナーを形成する場合である。その場合は、画像形成部１０Ycが制御部５０から入力した無色透明像用の画像データＤcl及び、画像形成信号Ｓ１に基づいて感光体ドラム１Ｋに無色透明像用の静電潜像Ｅを形成する。
【００９２】
そして、ステップＳＴ８で制御部５０は無色透明像用の静電潜像Ｅに対してＣＬトナーによる現像を実行して、中間転写ベルト８にクリアトナー像を１次転写する。その後、ステップＳＴ９で他のＭ，Ｃ，ＢＹ色の画像データＤｍ，Ｄｃ，Ｄｙに基づいて画像形成及び１次転写を実行する（従来方式と同様である）。その後、ステップＳＴ１４で制御部５０は、中間転写ベルト８上のカラートナー像を用紙Ｐに２次転写し、その後、用紙Ｐのカラートナー像を定着処理する。
【００９３】
上述のステップＳＴ３で白色多重モードが設定されている場合は、ステップＳＴ１０で制御部５０はＹ，Ｍ，Ｃ色の画像データＤｙ，Ｄｃ，Ｄｍに基づいて画像形成及び１次転写を実行する（従来方式と同様である）。
【００９４】
その後、ステップＳＴ１１で制御部５０は白色像用の静電潜像Ｅを形成する。例えば、白紙以外の色付き用紙Ｐの一部分に白色トナー像を形成する白色部分下地モードや、用紙Ｐの全面に白色トナー像を形成して下地処理する全面白色下地モードである。その際のＢＫ色の再現には、Ｙ，Ｍ，Ｃ色による黒画像を重ね合わせることで形成される。その後、ステップＳＴ１２で制御部５０は白色像用の静電潜像Ｅに対して白色トナーによる現像及び、１次転写を実行し、ステップＳＴ１４で制御部５０は、上述した２次転写及び定着処理を実行する。
【００９５】
なお、上述のステップＳＴ２で通常カラーモードが設定されている場合は、ステップＳＴ１３に移行してＹ，Ｍ，Ｃ，ＢＫ色に基づく多重カラー画像形成処理を実行する（従来方式）。これにより、通常カラーモード及び特色カラーモードの選択に対応してカラー画像を形成できるようになる。
【００９６】
このように第３の実施例に係る画像形成装置３００によれば、画像形成部１０Ycが感光体ドラム１Ｙの周囲に２つの現像部４Ｙ，４CLを有し、現像部４CLはクリアトナーを有しており、画像形成部１０Kwが感光体ドラム１Ｋの周囲に２つの現像部４Ｋ，４Ｗを有し、現像部４Ｗは白色トナーを有するものである。
【００９７】
この構成によって、４個の画像形成部１０Yc、１０Ｍ，１０Ｃ，１０Kwのうちの１つの感光体ドラム１Ｙの周囲に配置される現像部４Ｙ，４CLや、感光体ドラム１Ｋの周囲に配置される現像部４Ｋ，４Ｗ等のようにその個数を最小限の２個に抑え、ＣＬトナーや、白色トナー等を適用した特色カラーモードを実現できるようになった。
【００９８】
また、画像形成装置３００によれば、中間転写ベルト８の最上流に配置された画像形成部１０YcにＹ色用の現像部４Ｙに加えて、クリアトナーを有する現像部４CLを多重に配置したので、通常得られるＹ色を含むカラー画像上に部分的な光沢を与えることができ、出力画像に高級感を与えることができる（光沢処理）。
【００９９】
画像形成装置３００によれば、中間転写ベルト８の最下流に配置された画像形成部１０KwにＢＫ色用の現像部４Ｋに加えて、白色トナーを有する現像部４Ｗを多重に配置したので、用紙Ｐの上に均一に白色トナー像を転写することができ、その斤量や材料等に依存しない白色を再現できるようになる（白色処理）。
【０１００】
これらにより、基本の４色＋クリア＋白色トナーを有する６連の画像形成部を備えて多色、光沢及び白色処理を行うタンデム機を構築する場合に比べて、２個の画像形成部に係る感光体ドラム１及びその周囲の帯電部２や露光部３等を削減できるようになる。しかも、画像形成装置３００の高さ方向の寸法を低減できるばかりか、装置のコンパクト化が図られ、その価格の低廉化に寄与するところが大きい。
【０１０１】
この実施例では、Ｙ色トナーを含む多重のカラートナー像に部分的に光沢を施す部分光沢モードの場合について説明したが、Ｙ色トナーを含む多重のカラートナー像上の全面に光沢を施す全面光沢モードを実行する場合は、更なる工夫が必要となる。例えば、予め、中間転写ベルト８に用紙Ｐの大きさに対応する無色透明像に基づくＣＬトナーを転写して置き、このＣＬトナーによる像に、他のＹ，Ｍ，Ｃ，ＢＫ色の多重カラー画像を重ね合わせる方法が考えられる。
【０１０２】
この方法によれば、帯電部２Ｙによる感光体ドラム１Ｙの１回目の帯電処理、画像データＤClによる感光体ドラム１Ｙへの光情報の１回目の書き込み、無色透明像に対応する現像部４CLによる現像及び、中間転写ベルト８への無色透明像の１次転写と、その後、帯電部２Ｙによる感光体ドラム１Ｙの２回目の帯電処理、画像データＤｙによる感光体ドラム１Ｙへの光情報の２回目の書き込み、Ｙ色トナー像に対応する現像部４Ｙによる現像及び、中間転写ベルト８へのＹ色トナー像の１次転写とを行うことで対処する。その場合にはＣＬトナーを中間転写ベルト８に１次転写させた状態で、他の画像形成部１０Ｍ，１０Ｃ，１０Ｋ、２次転写部３１及び、クリーニング部６Ａの動作を解除して置いて、中間転写ベルト８を周回させて置く。画像形成部１０Ycでは現像部４CL又は現像部４Ｙを選択して動作させるようになる。これにより、Ｙ色トナーを含む多重のカラートナー像に対しても、全面光沢モードを実行できるようになる。
【０１０３】
なお、中間転写ベルト８に用紙Ｐの全面に対応するＣＬトナーや、２次転写前のＢＫ色を含む多色トナー像が中間転写ベルト８に１次転写した状態で周回可能であるならば、現像部４CLや、現像部４Ｗの位置は中間転写ベルト８の最上流やその最下流の位置に限定されることはない。現像部４CLや、現像部４Ｗは、感光体ドラム１Ｍや、感光体ドラム１Ｃに現像部４Ｍや、現像部４Ｃに並べて配置してもよい。
【０１０４】
また、画像形成部１０Kwの現像部４Ｋを使用して全面白色下地モードを実行する場合は、Ｙ，Ｍ，Ｃ，ＢＫ色トナーを含む多重のカラートナー像を中間転写ベルト８に１次転写させた状態で、上述のように中間転写ベルト８を周回させて置き、用紙Ｐへの２次転写前に、画像データＤｗによる感光体ドラム１Ｋへの光情報の２回目の書き込み、白色トナー像に対応する現像部４Ｗによる現像及び、中間転写ベルト８への白色トナー像の１次転写とを行うことで対処可能となる。
【符号の説明】
【０１０５】
１，１Ｙ，１Ｍ，１Ｃ，１Ｋ  感光体ドラム
２，２Ｙ，２Ｍ，２Ｃ，２Ｋ  帯電部
３，３Yc，３Ｙ，３Ｍ，３Ｃ，３Ｋ，３Kw  露光部
４，４Ｙ，４CL，４Ｍ，４Ｃ，４Ｋ，４Ｗ  現像部
７，７Ｙ，７Ｍ，７Ｃ，７Ｋ  １次転写ローラー
８  中間転写ベルト（中間転写体）
１０，１０Ｙ，１０Yc，１０Ｍ，１０Ｃ，１０Ｋ，１０Kw  画像形成部
３０  転写部
４０  定着部
５０  制御部  
３１  ２次転写部
１００，２００，３００  画像形成装置
【図１】
2014115413.tif 000003
【図２】
2014115413.tif 000004
【図３】
2014115413.tif 000005
【図４】
2014115413.tif 000006
【図５】
2014115413.tif 000007
【図６】
2014115413.tif 000008
【図７】
2014115413.tif 000009
【図８】
2014115413.tif 000010
【図９】
2014115413.tif 000011